(57)【要約】      （修正有）【課題】  医療現場で個人の識別不良による医療過誤を防止するＩＣ入りインレット付きテープでリストバンドを容易に形成し、かつ指で外せないようにすることで信頼性を高め、なおかつ安価な軽量素材で形成する。【解決手段】インレット１が粘着材塗工のテープ基材上に一定間隔で配設されて固着されてなるインレット付テープ１０の切断長さ内に、最低一個のインレットが存在するように配設させ、このテープの幅方向のセンターに折り返しの切れ目６を設けて巻き取ったテープを適度な長さで両端を斜め切りし、折り目の一方の側にあるインレットを挟んで折り返すことでインレットを挟んで保護する構造にし、その切断した両端に接合代が形成される。このテープを腕に巻いて両接合代を位置合わせして圧着し、リングを形成する。【選択図】図１
0003123670.tif 000002
【実用新案登録請求の範囲】
【請求項１】
インレットが粘着材塗工のテープ基材上に一定間隔で配設されて固着されてなるインレット付テープであって、前記インレットはインレット基板上に、アンテナを内蔵するＩＣチップ又は外部アンテナを有するＩＣチップを搭載し、切断長さ内に最低一個のインレットが存在するように配設させ、前記テープの幅方向のセンターに折り返し用の切れ目を設けて巻き取ったことを特徴とするインレット付テープ。
【請求項２】
前記インレットを折り返しの切れ目を設けたテープの左右に分散して配設させ、巻き取ったことを特徴とする請求項１に記載のインレット付テープ。
【請求項３】
前記テープに切断箇所の切断形状を斜めにするための目印を印刷および／または切れ目を用いて表示したことを特徴とする請求項１または請求項２に記載のインレット付テープ。
【考案の詳細な説明】
【技術分野】
【０００１】  本考案は、医療現場で用いるＩＣチップ搭載のインレット入りリストバンドを簡易な作業で外れ難い状態に形成し、かつ安価な連続するリール状のテープを用いてリングに形成するインレット付テープに関する。
【背景技術】
【０００２】  医療現場で患者の取り違え、または投与する薬剤の間違いを未然に防止するためにＩＤの照合を電子的に行なうシステムが求められている。つまり医療従事者の勘違いを防ぎ、医療事故を防止するためのシステム化に寄与する部材としてリストバンドが考えられている（特許文献１と２参照）。
リストバンドは皮膚に違和感を与えないように軽量で帯電防止加工を施し、抗菌性を付与する等の加工をしたプラスチックシート、または合成紙等の素材が提案されている。そして表面には印字できる素材に加工した前記複合シートを、バンドを形成するためにシートを打ち抜いて特別に準備した部材の両端部に塗布加工した粘着部を利用して、または端部に留め具を用いてリングに形成し、患者の手首または足首に保持する。
特許文献１は単にリストバンドに印字で確認情報を表示するだけであるが、特許文献２はリストバンドにＩＣチップを内蔵してＩＤ確認を電子的に行なえるようにインレットを表裏の材料で挟む複合構造にすることが示されている。【０００３】
【特許文献１】  特開２００３−１９３３０８号公報
【特許文献２】  特開２００５−２８３９９２号公報
【考案の開示】
【考案が解決しようとする課題】
【０００４】  しかしながら、特許文献１に開示されているリストバンドは、両端部の一方の粘着部をバンドの裏面に貼り、もう一方の粘着部をバンドの表側に貼る。この形成したリングは先に貼着した部分に覆い被さるように重ねて部分的に二重のリングを形成するものである。つまり、リングは指先で剥がしやすい状態になっている。これは患者または前述の医療現場を混乱させることを目的に故意に行なう犯罪者がいれば、容易に取り外すことができ、また別のものと交換することも容易な状態になっている。つまりＩＤ管理が確実になされる保証が乏しいといえる。
また、特許文献２に開示されているリストバンドは、留め具を用いるリング形成方式であり、さらにバンドの取り外しと交換が容易になり、ＩＤ管理の信頼性が乏しくなる。またリストバンドの留めグ形成にはコストアップの要因でもあり、金属等の付属品が用いられるのであれば、飲み込み等の患者の危険も生じる可能性がある。さらにはインレットを中間に挟むために複合構造素材に形成することによって、リストバンドの価格は増加する。印字したリストバンドは消耗品であるべきであり、そのためには安価である必要がある。そのためにはシンプルな構造で、安価な材料で電子データ管理が確実に行なわれる必要がある。【０００５】  本考案は上記実情に鑑みてなされたものであって、リング形成が容易であって、かつ取り外しが困難であってデータ管理の信頼性の高い、安価なリストバンドを提供することを目的とする。
【課題を解決するための手段】
【０００６】  本考案は上記課題を解決するためになされたものであって、請求項１に係る考案は、インレットが粘着材塗工のテープ基材上に一定間隔で配設されて固着されてなるインレット付テープであって、前記インレットはインレット基板上に、アンテナを内蔵するＩＣチップ又は外部アンテナを有するＩＣチップを搭載し、切断長さ内に最低一個のインレットが存在するように配設させ、前記テープの幅方向のセンターに折り返しの切れ目を設けて巻き取ったことを特徴とするインレット付テープに関する。【０００７】  請求項２に係る考案は、前記インレットを折り返しの切れ目を設けたテープの左右に分散して配設させ、巻き取ったことを特徴とする請求項１に記載のインレット付テープに関する。【０００８】  請求項３に係る考案は、前記テープに切断箇所の切断形状を斜めにするための目印を印刷および／または切れ目を用いて表示したことを特徴とする請求項１または請求項２に記載のインレット付テープに関する。
【考案の効果】
【０００９】  本考案に係るインレット付テープは、粘着材を塗工したテープ基材の粘着面にインレットを配設して固着させたテープから病院患者に取り付ける患者を電子的に識別するＩＤ付きリストバンドを、単にリングを形成する所定長さでテープの両端を斜めに切断し、その後切れ目で半折して、両端部を重合して圧着することにより、強固な二重構造でインレットを挟み込んで保護し、かつ、粘着面が患者の肌に触れないで、かつエッジが出るインレットが肌に直接触れることを防止し、柔らかくかつ軽量の患者に違和感を与えないリストバンドを提供することができる。
【考案を実施するための最良の形態】
【００１０】  以下、本考案の実施の形態を図面に基づいて説明する。
図１は、本考案のインレット１付テープの構成を簡略化して示す平面図である。図２は、図１に示すインレット１０付テープの側面図である。
まず、インレット付きテープ１０の製造方法について説明する。このインレット付きテープ１０は大きく粘着材付きテープ基材４とこれに搭載されるインレット１に分かれる。搭載されるインレット１は広い帯状のプラスチック製フィルムの上に導電ペーストを所定の形状に、所定の間隔で多列・塗布して形成し、その個々のアンテナ（図示しない）の中央に跨る形にＩＣチップ３を配置・接着する。つまり個々のアンテナは狭い溝で左右に分割されているが、これをＩＣチップが連結する形になる。このような構造の多数のインレット部（ＩＣ／アンテナ）を切断代を設けて近接させ、これを多列に形成する。
この広幅インレットシートを高速・スリットし、多本数のインレット付きの連続巻きテープ（図示しない）を製作する。このインレット巻きテープから個々のインレット１を切り出す。トリムを設けて打ち抜いたインレット１はプラスチックフィルムをベースに用いた連続巻きのインレットテープを打ち抜き寸法で打ち抜いたことで同寸法に形成されるインレット基板２とアンテナ、およびＩＣチップ３で構成されている。【００１１】  次にインレット付きテープ１０の製造方法について説明する。先に説明したインレットテープと同様に、インレット付テープ１０も広幅プラスチックフィルムを用いてインレット付きテープ１０を数本以上、同時に製作し、後にスリットして多本数に仕上げる。複数のインレット１がテープ基材４上に、その長手方向に一定のインレット間隔をあけて配設するが、製造効率を考慮して、これを多列で行なう。
粘着材付き広幅プラスチックフィルムに前述のインレット巻きテープから打ち抜いて切り出したインレット１を多列に所定間隔で固着する。このとき、インレット１の配設方向はフィルムの進行方向に対し、縦長になるようにする。これはできるだけ細いインレット付きテープに仕上げるためである。この配設間隔は切断長さと一致する。【００１２】  この打ち抜いたインレット１をスリットされてテープ基材４になるプラスチックフィルムの塗工した粘着材５の面に固着する。このとき、インレット１の置き方は、テープ基材４とインレット基板２でアンテナとＩＣチップ３を挟み込んだ状態になるようにする。切断長さになるピッチでインレットを配設させ、圧着を加えながらリールに巻き取る。この構造にすることでインレット付テープがリール形成の際、高速巻取り機で摩擦を受ける状況でもアンテナとＩＣを保護できる。
このＩＣチップはアンテナを内蔵するＩＣチップでもよく、またＩＣ自体が印刷方式で形成されるものであってもよい。【００１３】  このインレット１の配設をする際に、スリットする幅の中で左右どちらかにずらして固着する。これは医療現場でこのインレット付きテープ１０の巻きテープからリストバンド２０を形成するときに、センター折を容易に行えるように、切れ目加工を予め施しておくためである。このセンタースリットによってインレット１が損傷することがないような位置にシビアにインレット１を配設する必要がある。このセンターからのずらしは、切れ目の左右どちらかに固定して所定切断間隔で配設することができるが、実際にはＩＣチップには０．３ｍｍ程度の厚さがあり、これを数百ｍから数千ｍに巻いたリールに仕上げると、ＩＣチップの厚さの影響が出て、巻きムラが生じ、均一にタイトに巻くことが困難になる。請求項２に示すように、インレット１の配設を左右に適度に分散させて、この巻きムラの度合いを軽減させるのが好ましい。
このように予め切れ目加工を想定してインレット１を配設した多列配置のフィルムをスリット機で多本数にスリットする加工とそのインレット付きテープの中に行なう切れ目加工を同時に行なう。【００１４】  この切れ目加工では、巻き取るテープ幅のセンターに上下の回転輪で折り返しを容易にする繋ぎ付きの切れ目を入れる。受けのアンビル輪に対して、刃物の回転輪は部分的につなぎ（長さは０．５ｍｍ程度）を入れる不連続のスリットにする。例として３０ｍｍの切刃に対して繋ぎをつけて３０ｍｍの切刃を連続させることで、センターでの折り曲げは正確かつ容易になる。【００１５】  前述の切れ目をガイドにしてインレット付きテープ１０をセンター折りする前に、リストバンドを形成するに足る長さでこのテープを切断するが、図３に示すような接合代を形成させるために斜め切りする。
図１に示す破線の切断予定線７はインレット付きテープ１０の長さ方向に対して２５度から６０度の角度になるように斜めに切断する。好ましくは４５度付近である。事務用のハサミで切るか、所定の角度に設定した専用のカッタで切断すると角度を正確に切ることができる。長さは患者のリストの太さに合わせてきつ過ぎないように、また抜け落ちない程度に余裕を持たせた長さに設定する。そして両端の切断形状が同じになるように同じ角度で切る。このテープ片をセンターの折り返し切れ目で折って、重ねる。これによって図３に示すような、インレットを２枚のテープ基材４で挟む状態にすることができる。この折り返しによってテープ片の両端に粘着面が露出した接合代８が形成される。この切り口は直線の場合にはハサミで切取れる形状であるが、打ち抜きの場合には図５に示すような複雑な形状にすることもできる。接合面積を広く取れる同じ形状、または両端が類似する形状でテープの両端を切ればどのような形状でも良い。【００１６】  テープ片の両端に形成された同じ形状の接合代８同士を、腕に巻きつけた状態で切り口形状を合わせて粘着面を圧着する。これによってリング状のリストバンド２０が形成される。この接合代はテープの表と裏にあるところが、特許文献１に示される粘着材塗布部と異なるところである。つまり、接合代が表裏にあることによって、端部を合わせてリングを形成するときに水平の関係で密着状態に接着することができる。この状態は剥離の力に対して強くなると同時に、剥離の抓み部ができ難いという特徴が生じる。これに対して、特許文献１に示されるリング構造は指でＴ字型に接地しているテープ同士の接合部を引っ張ることで簡単に分離し、信頼性の点で劣ることになる。
手作業でこの圧着作業をする場合には、通常接合部９が上になるようにしてリングが形成される。このリングを折り畳んだ状態の平面図が図４である。粘着面同士が重なって全体がテープ基材の二倍の厚さになるリングが形成される。きわめて引張り強度に優れるリングが形成される。接合部も粘着面同士の接着となり、安定した強度を得ることができる。またエッジを完全に合わせた接着になることで、接合部を剥がそうとしても剥がすのは困難になる。これによってリストバンド２０としての使用中の信頼性は確保できる。また完全にＩＣチップを２枚のテープ基材と粘着材層で密着保持する構造になり、生活状態で水の浸透は防止でき、リストバンド２０を腕に巻いた状態で入浴することも可能になる。【００１７】  このテープ１０の切断はインレットを確実に含む位置を計測して行なう必要がある。所定のインレット間隔で固着して巻き取ったリールからテープを引き出して切断するが、ＩＣチップの盛り上がりを指で感知して、さらにアンテナの長さを予想して大よその位置を割りだして、左右均等な長さになるように切る必要がある。この作業を省略して確実に１個のリストバンドを形成できるテープを切断できる目印として、請求項３に示すように、インレット付きテープ１０の外面に切断予定線７として切断位置と切断形状を表示しておくのが便利である。具体的な方法としては、斜めの線を印刷で表示する方法があり、緑の線を印刷しておく。別の手法としては切れ目で表示する方法がある。斜めミシン目をスリットの際に同時に入れられるように回転刃にミシン目用の刃物を追加する細工を行なう。両方を実施しても良い。ハサミでカットする場合にはミシン目加工は簡便な切断ができるメリットがある。【００１８】  また、この必要な切断長さから設定する切断予定線７は大人の手首、または足首の長さを基準にするが、子ども、または乳幼児の場合にはこれより短くなる。これに対する適切な長さでの切断には、基準の切断予定線７の他に補助の切断予定線７を入れておく。この場合、強度低下を防ぐためにミシン目は用いずに、印刷で補助線として破線または細線で１センチメートル間隔に左右に表示する。ちなみに大人の手首リングの切断長さは２０センチメートルで幼児は１４センチ前後であり、左右に３本、印刷することになる。この切断補助線は当然アンテナに掛からないエリアに余裕を持って設けるようにする。
短くする切断を行なう場合には、半折して重合してからではリング形成が不可能になるため、短縮する前に大よその長さを計測するために標準長さで切断したテープ片を巻いて切除する長さを求める。【００１９】  以上は半折切れ目入りインレット付きテープのリールから使用の度に、テープを引き出して切断する方法を記したが、生産工場で所定の長さに斜め切断・折り曲げを行なって両端に接合代の大きさに合わせた適度な大きさの離型紙３０を張り付ける。図６に示す離型紙３０付きの開放状態のバンドを適当枚数まとめて袋詰めして販売することも可能である。傷の手当てに用いる「バンドエード」と同じように医療の現場で離型紙を外すだけで既成のバンドとして取り出し、腕に巻きつけて両端の接合代を位置合わせして圧着するだけでリストバンド２０として使用できる。【００２０】  インレット付きリングは、医療用リストバンドとして用いるだけでなく、同種のバンドを介護施設における徘徊する住人の手首または足首に巻いておき、大よそ２０ｍ間隔に設置するアンテナ柱からの電波と交信して住人の居場所確認にも用いることができる。また販売店で用いるＩＤ入り電子値札としてのＩＣタグとしても用いることができる。対象商品によってはラベルとしてＩＣタグを作るよりも安価にリング状ＩＣタグを形成できる。セロテープをリールから引き出すようにして所定箇所で切断し、この後半折してテープ片を作成し、これを商品の適当な箇所に差し込んでからリングを形成して外せないように取り付ける。
このＩＣタグは取り付ける前にテープリールからテープを引き出す際にリーダライタでメーカー名やシリアル番号等のデジタルデータを入力するか、商品に取り付けてから無線でデータをインプットする。
この用途においては店頭でＩＣタグを簡単に取り外せるようにすることがプライバシー保護の点で必要になる。この場合には、ハサミを使わずに引きちぎれるようにミシン目を切断予定線７以外のところで、接合部９を外したエリア付近にミシン目加工をしておく。【００２１】  このテープ基材４はポリプロピレン、ナイロン、ＰＥＴ等を選択でき、薄い素材にするには長軸方向に延伸処理したものを選択すると安価にする上では効果的である。粘着材５はアクリル系、またはゴム系のものを使用することができる。テープ基材４の幅は使用するインレット１のサイズに規定されるが、１３．５６ＭＨｚ用のインレット１であれば幅を２０ｍｍ程度になり、ＵＨＦ用のインレット１を使用すると４０ｍｍ程度になり、これを半折して使用することになる。通常はインレット１の幅寸法に１−２ｍｍの余裕を持たせた寸法の二倍値がテープの最低の幅寸法になる。【００２２】  ＩＣチップは静電気の弱いという性質があり、テープ基材４を帯電防止加工（表面コートまたはカーボン材の練りこみ加工）をする。またテープ表面は粘着材の離型効果を高めるためにシリコン系等の離型材をコートしておく。さらには患者の肌との接触トラブルを回避するために離型効果のある不織布をラミネートすることもできる。
【図面の簡単な説明】
【００２３】
【図１】  本考案のインレット付テープの平面図である。
【図２】  図１に示すインレット付テープの側面図である。
【図３】  図１のテープを斜め切断予定線で切断し、センターの折り目線で重合したテープ片の平面図である。
【図４】  図３のテープの両端にある接合代の粘着面を合わせて接合したリングの平面図である。
【図５】  別種の切断予定線を有するインレット付テープの平面図である。
【図６】  両端に離型紙を付けたインレット付テープの平面図である。
【符号の説明】
【００２４】  １      インレット
２      インレット基板
３      ＩＣ
４      テープ基材
５      粘着材
６      折り返し用切れ目
７      切断予定線
８      接合代
９      接合部
１０    インレット付テープ
２０    リストバンド
３０    離型紙
【図１】
0003123670.tif 000003
【図２】
0003123670.tif 000004
【図３】
0003123670.tif 000005
【図４】
0003123670.tif 000006
【図５】
0003123670.tif 000007
【図６】
0003123670.tif 000008